【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
アノード電極に供給される水素含有ガスとカソード電極に供給される酸素含有ガスとを反応させることで負荷電流を生成する燃料電池を含む燃料電池システムにおいて、
前記酸素含有ガスを所定の湿度に加湿して前記燃料電池に供給する加湿器と、
前記カソード電極に供給する前記酸素含有ガスの流量を制御する酸素含有ガス流量制御部と、
を備え、前記酸素含有ガス流量制御部は、前記水素含有ガスの湿度を１００％未満の所定範囲とすべく、前記酸素含有ガスの流量を制御することを特徴とする燃料電池システム。
【請求項２】
請求項１記載のシステムにおいて、
前記水素含有ガスの湿度を検出する湿度検出部を備え、前記酸素含有ガス流量制御部は、前記水素含有ガスの湿度を１００％未満の所定範囲とすべく、前記酸素含有ガスの流量を制御することを特徴とする燃料電池システム。
【請求項３】
請求項２記載のシステムにおいて、
前記水素含有ガスを循環させて前記アノード電極に供給する循環路を備え、前記湿度検出部は、前記循環路に配設されることを特徴とする燃料電池システム。
【請求項４】
請求項１記載のシステムにおいて、
前記水素含有ガスを循環させて前記アノード電極に供給する循環路と、
前記循環路を循環する前記水素含有ガスの流量を制御する水素含有ガス流量制御部と、
を備え、前記酸素含有ガス流量制御部および前記水素含有ガス流量制御部は、前記水素含有ガスの湿度を１００％未満の所定範囲とすべく、前記酸素含有ガスおよび前記水素含有ガスの流量を制御することを特徴とする燃料電池システム。
【請求項５】
アノード電極に供給される水素含有ガスとカソード電極に供給される酸素含有ガスとを反応させることで負荷電流を生成する燃料電池を含む燃料電池システムにおいて、
前記酸素含有ガスを所定の湿度に加湿して前記燃料電池に供給する加湿器と、
切換バルブを有し、前記加湿器を経由させないで前記酸素含有ガスを通過させるバイパス路と、
前記切換バルブを制御し、前記加湿器と前記バイパス路とを切り換えるバルブ制御部と、
を備え、前記バルブ制御部は、前記水素含有ガスの湿度を１００％未満の所定範囲とすべく、前記切換バルブを制御することを特徴とする燃料電池システム。
【請求項６】
請求項５記載のシステムにおいて、
前記水素含有ガスの湿度を検出する湿度検出部を備え、前記バルブ制御部は、前記水素含有ガスの湿度を１００％未満の所定範囲とすべく、前記加湿器または前記バイパス路を通過する前記酸素含有ガスの流量を制御することを特徴とする燃料電池システム。
【請求項７】
請求項６記載のシステムにおいて、
前記水素含有ガスを循環させて前記アノード電極に供給する循環路を備え、前記湿度検出部は、前記循環路に配設されることを特徴とする燃料電池システム。
【請求項８】
請求項５記載のシステムにおいて、
前記水素含有ガスを循環させて前記アノード電極に供給する循環路と、
前記循環路を循環する前記水素含有ガスの流量を制御する水素含有ガス流量制御部と、
を備え、前記バルブ制御部および前記水素含有ガス流量制御部は、前記水素含有ガスの湿度を１００％未満の所定範囲とすべく、前記酸素含有ガスおよび前記水素含有ガスの流量を制御することを特徴とする燃料電池システム。
【手続補正２】
【補正対象書類名】明細書
【補正対象項目名】０００８
【補正方法】変更
【補正の内容】
【０００８】
請求項１記載の本発明は、アノード電極に供給される水素含有ガスとカソード電極に供給される酸素含有ガスとを反応させることで負荷電流を生成する燃料電池を含む燃料電池システムにおいて、
前記酸素含有ガスを所定の湿度に加湿して前記燃料電池に供給する加湿器と、
前記カソード電極に供給する前記酸素含有ガスの流量を制御する酸素含有ガス流量制御部と、
を備え、前記酸素含有ガス流量制御部は、前記水素含有ガスの湿度を１００％未満の所定範囲とすべく、前記酸素含有ガスの流量を制御することを特徴とする。
【手続補正３】
【補正対象書類名】明細書
【補正対象項目名】００１０
【補正方法】変更
【補正の内容】
【００１０】
請求項２記載の本発明は、請求項１記載のシステムにおいて、
前記水素含有ガスの湿度を検出する湿度検出部を備え、前記酸素含有ガス流量制御部は、前記水素含有ガスの湿度を１００％未満の所定範囲とすべく、前記酸素含有ガスの流量を制御することを特徴とする。
【手続補正４】
【補正対象書類名】明細書
【補正対象項目名】００１１
【補正方法】変更
【補正の内容】
【００１１】
請求項２記載の本発明では、水素含有ガスの湿度を湿度検出部によって高精度に検出し、その湿度が１００％未満の所定範囲となるように制御を行うことができる。
【手続補正５】
【補正対象書類名】明細書
【補正対象項目名】００１４
【補正方法】変更
【補正の内容】
【００１４】
請求項４記載の本発明は、請求項１記載のシステムにおいて、
前記水素含有ガスを循環させて前記アノード電極に供給する循環路と、
前記循環路を循環する前記水素含有ガスの流量を制御する水素含有ガス流量制御部と、
を備え、前記酸素含有ガス流量制御部および前記水素含有ガス流量制御部は、前記水素含有ガスの湿度を１００％未満の所定範囲とすべく、前記酸素含有ガスおよび前記水素含有ガスの流量を制御することを特徴とする。
【手続補正６】
【補正対象書類名】明細書
【補正対象項目名】００１６
【補正方法】変更
【補正の内容】
【００１６】
請求項５記載の本発明は、アノード電極に供給される水素含有ガスとカソード電極に供給される酸素含有ガスとを反応させることで負荷電流を生成する燃料電池を含む燃料電池システムにおいて、
前記酸素含有ガスを所定の湿度に加湿して前記燃料電池に供給する加湿器と、
切換バルブを有し、前記加湿器を経由させないで前記酸素含有ガスを通過させるバイパス路と、
前記切換バルブを制御し、前記加湿器と前記バイパス路とを切り換えるバルブ制御部と、
を備え、前記バルブ制御部は、前記水素含有ガスの湿度を１００％未満の所定範囲とすべく、前記切換バルブを制御することを特徴とする。
【手続補正７】
【補正対象書類名】明細書
【補正対象項目名】００１８
【補正方法】変更
【補正の内容】
【００１８】
請求項６記載の本発明は、請求項５記載のシステムにおいて、
前記水素含有ガスの湿度を検出する湿度検出部を備え、前記バルブ制御部は、前記水素含有ガスの湿度を１００％未満の所定範囲とすべく、前記加湿器または前記バイパス路を通過する前記酸素含有ガスの流量を制御することを特徴とする。
【手続補正８】
【補正対象書類名】明細書
【補正対象項目名】００１９
【補正方法】変更
【補正の内容】
【００１９】
請求項６記載の本発明では、水素含有ガスの湿度を湿度検出部によって高精度に検出し、その湿度が１００％未満の所定範囲となるように制御を行うことができる。
【手続補正９】
【補正対象書類名】明細書
【補正対象項目名】００２２
【補正方法】変更
【補正の内容】
【００２２】
請求項８記載の本発明は、請求項５記載のシステムにおいて、
前記水素含有ガスを循環させて前記アノード電極に供給する循環路と、
前記循環路を循環する前記水素含有ガスの流量を制御する水素含有ガス流量制御部と、
を備え、前記バルブ制御部および前記水素含有ガス流量制御部は、前記水素含有ガスの湿度を１００％未満の所定範囲とすべく、前記酸素含有ガスおよび前記水素含有ガスの流量を制御することを特徴とする。
【手続補正１０】
【補正対象書類名】明細書
【補正対象項目名】００３８
【補正方法】変更
【補正の内容】
【００３８】
この場合、アノード電極２４側の水素ガス供給路を含む循環路４０では、水が結露することなく水素ガスが適度に加湿されていなければならない。そのためには、循環路４０に配設した湿度検出部４２によって検出される水素ガスの平均湿度Ｈａを１００％未満の所定範囲となるように制御する必要がある。
【手続補正１１】
【補正対象書類名】明細書
【補正対象項目名】００４１
【補正方法】変更
【補正の内容】
【００４１】
そこで、流量制御部５６は、図３および図４に示す関係をルックアップテーブル等として保持しておき、負荷電流設定部６０によって設定された負荷電流Ｉと、湿度検出部４２によって検出されたアノード電極２４における水素ガスの平均湿度（アノード湿度Ｈａ）とに基づき、アノード湿度Ｈａが１００％未満の所定範囲（例えば、７０〜８０％）となるようにコンプレッサ４８を制御し、所定のカソードストイキＳｃとなる流量のエアをカソード電極２６に供給する。この結果、燃料電池スタック２２は、カソード電極２６側から供給される水によってアノード電極２４およびカソード電極２６が適切に加湿された状態で発電を行うことができる。
【手続補正１２】
【補正対象書類名】明細書
【補正対象項目名】００４５
【補正方法】変更
【補正の内容】
【００４５】
このように構成される燃料電池システム７０において、バルブ制御部７６は、負荷電流設定部６０によって設定された負荷電流Ｉと、湿度検出部４２によって検出されたアノード電極２４における水素ガスの平均湿度（アノード湿度Ｈａ）とに基づき、アノード湿度Ｈａが１００％未満の所定範囲（例えば、６０〜７０％）となるように切換バルブ７４を制御する。
【手続補正１３】
【補正対象書類名】図面
【補正対象項目名】図７
【補正方法】変更
【補正の内容】
【図７】
2004303717.tif 000001